(57)【要約】【課題】ユーザの入力操作を必要とすることなく、ユーザが希望する配信情報を選択して提供する。【解決手段】  情報配信端末において、所持するユーザに関する情報を送信するユーザ情報送信手段と、所定の通信可能エリアにおいて、自機の位置を検知して位置情報を送信する位置情報送信手段とを具備し、情報配信サーバにおいて、前記所定の通信可能エリアにおいて、複数の前記情報配信端末との間で通信が可能な通信手段と、配信情報がデータベース化されて蓄積されたデータベース部と、前記情報配信端末からの前記位置情報に基づいて前記情報配信端末の位置を検出する位置検出手段と、前記位置検出手段が検出した前記情報配信端末の位置に応じて前記データベース部の配信情報を選択して、選択した配信情報を前記通信手段から送信させる検索手段とを具備したことを特徴とする。【選択図】      図１
2006189938.tif 000002
【特許請求の範囲】
【請求項１】
複数の情報配信端末との間で通信が可能な通信手段と、
配信情報がデータベース化されて蓄積されたデータベース部と、
前記情報配信端末の位置を検出する位置検出手段と、
前記位置検出手段が検出した前記情報配信端末の位置に応じて前記データベース部の配信情報を選択して、選択した配信情報を前記通信手段から送信させる検索手段とを具備したことを特徴とする情報配信サーバ。
【請求項２】
前記位置検出手段は、前記情報配信端末からの位置情報に基づいて前記情報配信端末の位置を検出することを特徴とする請求項１に記載の情報配信サーバ。
【請求項３】
前記データベース部は、前記配信情報に関する情報及び前記情報配信端末を所持するユーザに関する情報のうちの少なくとも一方の情報を更に保持し、
前記検索手段は、前記配信情報に関する情報及び前記情報配信端末を所持するユーザに関する情報のうちの少なくとも一方の情報並びに前記情報配信端末の位置に応じて前記データベース部の配信情報を選択することを特徴とする請求項１に記載の情報配信サーバ。
【請求項４】
所持するユーザに関する情報を送信するユーザ情報送信手段と、
配信情報を配信する情報配信サーバの通信可能エリアにおいて、自機の位置を検知して前記情報配信サーバに位置情報を送信する位置情報送信手段とを具備したことを特徴とする情報配信端末。
【請求項５】
前記ユーザの購買履歴に関する情報を送信する履歴データ送信手段を更に具備したことを特徴とする請求項４に記載の情報配信端末。
【請求項６】
情報配信端末において、
所持するユーザに関する情報を送信するユーザ情報送信手段と、
所定の通信可能エリアにおいて、自機の位置を検知して位置情報を送信する位置情報送信手段とを具備し、
情報配信サーバにおいて、
前記所定の通信可能エリアにおいて、複数の前記情報配信端末との間で通信が可能な通信手段と、
配信情報がデータベース化されて蓄積されたデータベース部と、
前記情報配信端末からの前記位置情報に基づいて前記情報配信端末の位置を検出する位置検出手段と、
前記位置検出手段が検出した前記情報配信端末の位置に応じて前記データベース部の配信情報を選択して、選択した配信情報を前記通信手段から送信させる検索手段とを具備したことを特徴とする情報配信システム。
【請求項７】
前記データベース部は、前記配信情報に関する情報及び前記情報配信端末を所持するユーザに関する情報のうちの少なくとも一方の情報を更に保持し、
前記検索手段は、前記配信情報に関する情報及び前記情報配信端末を所持するユーザに関する情報のうちの少なくとも一方の情報並びに前記情報配信端末の位置に応じて前記データベース部の配信情報を選択することを特徴とする請求項６に記載の情報配信システム。
【請求項８】
情報配信端末から前記情報配信端末を所持するユーザに関する情報を情報配信サーバに送信する手順と、
前記情報配信端末の位置を検知して前記情報配信サーバに位置情報を送信する手順と、
前記情報配信端末からの前記位置情報に基づいて前記情報配信端末の位置を検出する手順と、
検出した前記情報配信端末の位置に応じてデータベース部に格納された配信情報を検索し、検索した配信情報を通信手段から前記情報配信端末に送信させる手順とを具備したことを特徴とする情報配信方法。
【発明の詳細な説明】
【技術分野】
【０００１】
本発明は、店舗等における楽曲情報等の配信サービス等に好適な情報配信端末、情報配信サーバ、情報配信システム及び情報配信方法に関する。
【背景技術】
【０００２】
近年、無線技術の発展及びネットワークの高速化、蓄積メディアの大容量化等に伴い、携帯電話等の携帯端末を用いて配信サーバにアクセスすることで、音楽情報をストリーミングしたり、蓄積メディアに記録可能にするサービスが提供されるようになってきた。
【０００３】
例えば、特許文献１においては、販売店で利用される音楽情報販売システムが開示されている。特許文献１の技術では、販売店内にある携帯端末を検出することで、ユーザに情報を提供するサービスを可能にする。即ち、携帯端末を携帯するユーザが入店した場合には、視聴リスト画面を携帯端末に送信する。ユーザーは携帯端末の画面を見ながら応答を返す。これにより、視聴データが携帯端末に送信されて、ユーザは携帯端末で視聴することができる。
【０００４】
また、特許文献２においては、音楽配給システムが開示されている。特許文献２においては、再生された音楽プログラムを分析して、利用者の嗜好の傾向に沿った新譜情報を選択し、新譜情報のリストを端末に送信することができる。端末側ではサンプルデータを視聴して、購入希望する新譜の音楽プログラムを指定することができる。
【０００５】
また、特許文献３においては、楽曲データを蓄積したデータベースを備え、ユーザにより検索条件が指定されると、該当する楽曲データをユーザ側に送信して視聴可能とするコンピュータシステムが開示されている。
【特許文献１】特開２００２−３６７０２６公報
【特許文献２】特開２００１−２９７０９３公報
【特許文献１】特開２００４−５３７５５公報
【発明の開示】
【発明が解決しようとする課題】
【０００６】
しかしながら、上述した従来の技術においては、ユーザの嗜好を十分に反映させた情報を配信させるためには、携帯端末を利用したユーザの操作が必要である。また、配信される情報はユーザの嗜好のみによって決定され、販売店側の選択の余地が極めて少ないという問題があった。
【０００７】
本発明はかかる問題点に鑑みてなされたものであって、情報提供側の情報、ユーザに関する情報及びユーザの位置情報を利用することで、携帯端末を利用したユーザ操作を必要とすることなく、ユーザ及び情報提供側の双方の希望を反映させた情報の配信を可能にすることができる情報配信端末、情報配信サーバ、情報配信システム及び情報配信方法を提供することを目的とする。
【課題を解決するための手段】
【０００８】
本発明に係る情報配信システムは、情報配信端末において、所持するユーザに関する情報を送信するユーザ情報送信手段と、所定の通信可能エリアにおいて、自機の位置を検知して位置情報を送信する位置情報送信手段とを具備し、情報配信サーバにおいて、前記所定の通信可能エリアにおいて、複数の前記情報配信端末との間で通信が可能な通信手段と、配信情報がデータベース化されて蓄積されたデータベース部と、前記情報配信端末からの前記位置情報に基づいて前記情報配信端末の位置を検出する位置検出手段と、前記位置検出手段が検出した前記情報配信端末の位置に応じて前記データベース部の配信情報を選択して、選択した配信情報を前記通信手段から送信させる検索手段とを具備したことを特徴とする。
【０００９】
本発明において、ユーザが所持する情報配信端末は、自機の位置情報を情報配信サーバに送信する。情報配信サーバの位置検出手段は、情報配信端末からの位置情報に基づいて情報配信端末の位置を検出する。情報配信サーバは、配信する情報がデータベース化されて蓄積されたデータベース部を有し、位置検出手段が検出した情報配信端末の位置に応じてデータベース部の配信情報を選択する。選択された配信情報は、通信手段から情報配信端末に送信される。
【発明の効果】
【００１０】
本発明によれば、情報提供側の情報、ユーザに関する情報及びユーザの位置情報を利用することで、携帯端末を利用したユーザ操作を必要とすることなく、ユーザ及び情報提供側の双方の希望を反映させた情報の配信を可能にすることができるという効果を有する。
【発明を実施するための最良の形態】
【００１１】
以下、図面を参照して本発明の実施の形態について詳細に説明する。図１は本発明の一実施の形態に係る情報配信サーバを示すブロック図である。また、図２は本発明の一実施の形態に係る情報配信端末を示すブロック図である。本実施の形態は例えば音楽ＣＤ等を販売する店舗における情報配信システムに適用したものである。
【００１２】
図１の情報配信サーバ１は、ユーザに配信する各種情報を蓄積するデータベース部２を有している。例えば、音楽ＣＤの販売店に設置する場合には、データベース部２には楽曲データが蓄積される。一方、図２の情報配信端末１１は、携帯電話等の携帯端末或いは販売店内で各ユーザに貸与される携帯端末によって構成される。
【００１３】
情報配信サーバ１は図示しない無線ＬＡＮ等のネットワークを例えば販売店内に構築する。情報配信端末１１を情報配信サーバ１が構築したネットワークに接続することで、情報配信サーバ１と情報配信端末１１との間でデータの授受が可能である。なお、情報配信端末１１として携帯電話を採用した場合には、情報配信サーバ１は図示しない公衆電話回線網を用いて情報配信端末１１と通信を行うことも可能である。また、情報配信サーバ１は必ずしも販売店内に設置する必要はなく、ネットワークを介して情報配信端末１１と接続可能であれば、いずれの場所に設置してもよい。
【００１４】
情報配信端末１１は、情報配信サーバ１に対するユーザの個人認証を行うインターフェースを提供する。個人認証を行うために、情報配信端末１１はユーザ情報入力部１２及び表示・再生部１７を備えている。表示・再生部１７は図示しないスピーカ等の音響出力部及び図示しない液晶パネル等の表示画面を有している。ユーザ情報入力部１２は、情報配信端末１１に設けられた表示・再生部１７の表示画面上にＧＵＩ（グラフィカルユーザインタフェース）を利用した表示を行うことで、個人認証のためのＩＤ及びパスワード入力等を可能にする。
【００１５】
なお、情報配信端末１１が携帯電話によって構成されている場合には、個人認証には携帯電話のメモリ内に保持されている個人情報を用いてもよい。更に、個人認証にＩＣタグを利用してもよい。
【００１６】
ユーザ情報入力部１２からのユーザ情報は通信モジュール１３に与えられる。通信モジュール１３は、入力された各種データを情報配信サーバ１が提供するネットワークの形式に変換してネットワークに送信する。また、通信モジュール１３はネットワークを介して伝送されるデータのうち自機を宛先とするデータを取り込み、内部で利用可能な形態に変換して出力することができるようになっている。
【００１７】
本実施の形態においては、情報配信端末１１は自機の位置を検知する位置検知モジュール１４を有している。位置検知モジュール１４は例えばセンサによって構成されており、販売店内のいずれの位置に位置するかを検知して、自機の位置を示す位置情報を通信モジュール１３に出力するようになっている。位置検知モジュール１４は適宜の時間間隔で自機の位置を検知して位置情報を出力してもよい。また、販売店内に複数の位置検知範囲がある場合には、情報配信端末１１が各検知範囲内に到達したタイミングで自機の位置情報を出力するようにしてもよい。
【００１８】
また、位置検知モジュール１４としては携帯電話のＧＰＳ機能を利用することも可能である。例えば、展示会等のように屋外又は比較的広い室内で情報配信システムを利用する場合には、携帯電話のＧＰＳ機能であっても、十分な精度を有するものと考えることができる。
【００１９】
履歴データ記憶部１５は、ユーザの過去の行為に起因する各種履歴データを保持する。例えば、履歴データとしては、ユーザ個人のＣＤ購入履歴等がある。情報配信端末１１として携帯電話を用いる場合には、履歴データ記憶部１５は携帯電話の所有者の情報のみを記憶すればよい。情報配信端末１１が販売店から貸与された携帯端末である場合には、履歴データ記憶部１５は複数の利用者の履歴データを保持し、ユーザ情報入力部１２からのユーザ情報に基づく利用者の履歴データを通信モジュール１３に出力する。
【００２０】
なお、各ユーザの履歴データは、情報配信サーバ１側に記憶させてもよく、履歴データ記憶部１５は省略可能である。
【００２１】
通信モジュール１３は、位置検知モジュール１４からの位置情報及び履歴データ記憶部１５からの履歴データを、情報配信端末１１のＩＤと共に、ネットワーク上に送信するようになっている。なお、履歴データにはユーザを特定する情報も含まれる。
【００２２】
通信モジュール１３は、ネットワークを介して伝送された映像及び音声情報を受信して、再生モジュール１６に供給することができる。再生モジュール１６は入力された映像及び音声情報に対して所定の信号処理を施して、表示・再生部１７に与える。これにより、表示・再生部１７は、ネットワークを介して伝送された音響を出力すると共に、映像を画面に表示させることができるようになっている。
【００２３】
図１の情報配信サーバ１の通信モジュール３は、ネットワークを介して伝送された各種データを受信して、情報配信サーバ１内部で利用可能な形式に変換すると共に、データベース部２からの配信情報をネットワークの形式に変換して、ネットワーク上に送信する。
【００２４】
情報配信サーバ１は、通信モジュール３を介してネットワークに接続された１つ以上の情報配信端末１１との間で通信を行い、各情報通信端末１１を認証すると共に、各情報通信端末１１を使用しているユーザの個人認証を行う。情報配信サーバ１は、情報通信端末１１からのユーザ情報を通信モジュール３を介して受信すると、このユーザ情報をユーザ情報モジュール４に供給する。また、情報配信サーバ１は、情報通信端末１１からの位置情報を通信モジュール３を介して受信すると、この位置情報を位置情報モジュール５に供給する。
【００２５】
ユーザ情報モジュール４は、各情報配信端末１１を使用しているユーザのユーザ情報及び履歴データを取得し、位置情報モジュール５は各情報配信端末１１の位置情報を取得する。これらのユーザ情報、履歴データ及び位置情報は、検索モジュール６に与えられる。即ち、検索モジュール６には、各情報通信端末１１毎に、各情報配信端末１１の位置並びにその使用者のユーザ情報及び履歴データが与えられることになる。
【００２６】
データベース部２には、配信情報及び配信情報に関連する各種情報が記憶されている。例えば、楽曲の配信を行う場合には、データベース部２には、楽曲のデータ、各楽曲毎の管理情報、各ユーザに関する管理情報等が蓄積される。コンテンツ入力部７は、図示しない表示画面を有しており、ＧＵＩを利用して、楽曲データ等のコンテンツをデータベース部２に入力することができるようになっている。また、コンテンツ入力部７によって、後述する検索条件の設定等も可能である。
【００２７】
図３はデータベース部２に記憶されている楽曲毎の管理情報の一例を示す説明図である。図３は音楽ＣＤについての情報の例である。
【００２８】
図３の例では、楽曲毎の管理情報には、タイトル名、アーティスト名、ジャンル情報、ＣＤ購買履歴情報、発売日、在庫数、ジャンル棚に滞在した時間、ＣＤが置かれている位置情報が含まれる。タイトル名及びアーティスト名の欄には、各ＣＤのタイトル名及びアーティスト名が記述される。ジャンル情報の欄には、各ＣＤに含まれる楽曲が属するジャンル等が記述される。ＣＤ購買履歴情報の欄には、販売店における各ＣＤの販売履歴の情報が記述される。在庫数の欄には、販売店における各ＣＤの在庫数の情報が記述される。ジャンル棚に滞在した時間の欄には、各ＣＤを販売店内の陳列用の棚に配置する場合であって、各ＣＤが対応するジャンルの棚に配置されている時間の情報が記述される。また、ＣＤが置かれている位置情報は、販売店内のいずれの位置に各ＣＤが配置されているかを示す情報が記述される。
【００２９】
また、ユーザに関する管理情報としては、ユーザの氏名、年齢、性別、好きなジャンル、販売店における購入履歴等が記述される。
【００３０】
検索モジュール６は、複数の検索条件に従って、データベース部２に格納されている情報のうちの１つを情報配信端末１１に対応させて選択し、選択した配信情報を通信モジュール３に出力するようになっている。通信モジュール３は、検索モジュール６によって選択された配信情報を対応する情報配信端末１１を宛先としてネットワーク上に送出するようになっている。
【００３１】
本実施の形態においては、検索モジュール６は、販売店側の検索条件、ユーザ情報及び履歴データに基づくユーザ側の検索条件並びに情報配信端末１１の位置に基づく検索条件を用いて、データベース部２の検索を行うようになっている。
【００３２】
図４は検索モジュール６が採用する販売店側の検索条件の一例を示す説明図である。検索モジュール６は、例えば、図４に示すように、ＣＤ購買履歴情報、発売日、ジャンル棚に滞在した時間、在庫数、ＣＤが置かれている位置情報を検索条件として検索を行う。また、この場合には、検索モジュール６は、図４の優先度の欄に示した優先順位で検索を実施するようにしてもよい。
【００３３】
例えば、図４の例では、検索モジュール６は、先ず、ＣＤ購買履歴情報に基づいて検索を行う。これにより、例えば、ＣＤ購買履歴の情報に基づいて売れ筋の音楽ＣＤを検出し、この音楽ＣＤの楽曲データを検索結果として出力することもできる。これらの検索条件をどのように用いて具体的に検索を行うかは、各販売店で設定可能である。
【００３４】
検索モジュール６は、次に、ユーザ側の検索条件を用いて、データベース部２から選択する情報を絞り込む。例えば、ユーザ側の検索条件によって「ロック」の音楽ＣＤが選択されるものとする。この場合において、対象ユーザがハード系のロックを好んでいることがユーザ情報によって判明したり、或いは履歴データによってハード系のロックの音楽ＣＤを以前購入したことがあることが判明すると、検索モジュール６は、「ロック」のうちのハード系のロックの音楽ＣＤを選択するのである。
【００３５】
本実施の形態においては、検索モジュール６は、更に、情報配信端末１１の位置によって検索の絞り込みを行うようになっている。例えば、「ロック」の音楽ＣＤが選択されている場合において、対象ユーザが所持している情報配信端末１１がジャンルが「ジャズ」の棚の近傍に位置している場合には、情報配信端末１１の位置情報を用いることで、検索モジュール６は、ロック系のジャズの音楽ＣＤを選択する。
【００３６】
なお、検索モジュール６は、販売店側の検索条件、ユーザ情報及び履歴データに基づくユーザ側の検索条件並びに情報配信端末１１の位置に基づく検索条件を適用する順番は適宜設定可能である。また、検索モジュール６は、販売店側の検索条件及びユーザ側の検索条件の少なくとも一方を省略することも可能である。
【００３７】
次に、このように構成された実施の形態の動作について図５及び図６を参照して説明する。図５は情報配信サーバ及び情報配信端末を用いた販売店における情報配信システムの概要を示す説明図である。また、図６は情報配信の動作フローを示すフローチャートである。
【００３８】
図５において、携帯電話２１は図２の情報配信端末１１に相当する。また、コンピュータ２３は図１の情報配信サーバ１に相当し、蓄積メディア２４は図１のデータベース部２に相当する。
【００３９】
販売店内に入ったユーザは、所持している携帯電話２１を情報配信端末１１として使用し、ＩＤ及びパスワード等の入力を行う。ユーザは販売店内で貸与される情報配信端末１１を用いてもよい。情報配信端末１１からのユーザ情報は、通信モジュール１３からネットワークに送出され、販売店側に設けられている情報配信サーバ１に伝送される（図５の丸数字１）。情報配信サーバ１の通信モジュール３によって受信されたユーザ情報は、ユーザ情報モジュール４に与えられ、ユーザ情報モジュール４によってユーザの個人認識及びユーザが使用している端末の認証が行われる（ステップＳ１）。
【００４０】
情報配信サーバ１は個人認証を行うと、ユーザが所持している情報配信端末１１から、履歴データ等の読み込みを行う。即ち、ユーザが所持している情報配信端末１１は履歴データ記憶部１５から読出した履歴データ及びユーザ情報を送信する（図５の丸数字３）。情報配信サーバ１は、情報配信端末１１から送られた履歴データ及びユーザ情報をユーザ情報モジュール４に与える。これにより、ユーザ情報モジュール４は、情報配信端末１１毎にユーザ情報及び履歴データを管理する。
【００４１】
ユーザは、図５の丸数字２に示すように、情報配信端末１１としての携帯電話２１を所持すると共に、情報配信端末１１の表示・再生部１７からの音響出力を聴くために、携帯電話２１にヘッドホン２２を接続し、ヘッドホン２２を装着する。この状態で、ユーザは販売店内を移動する。
【００４２】
情報配信サーバ１は、検索モジュール６によって、データベース部２から配信する情報を選択する（図５の丸数字４）。この場合には、検索モジュール６は、図５に示す販売店側の検索条件及びユーザ側の検索条件に従った検索を行う。即ち、検索モジュール６は、ステップＳ４において、販売店側の検索条件を読み込み、ステップＳ５においてユーザ側の検索条件を読込む。なお、上述したように、これらの検索条件は必ずしも必要ではなく、特に、ユーザ側の検索条件は省略してもよい。
【００４３】
検索モジュール６は、次のステップＳ６において、販売店側の検索条件及びユーザ側の検索条件に従って検索を行い、情報を選択する。販売店がＣＤショップである場合には、例えば、選曲が行われる（ステップＳ６）。
【００４４】
例えば、検索モジュール６は、販売店の各楽曲毎の管理情報のうちのＣＤ購買履歴情報及び各ユーザに関する管理情報のうちのユーザのＣＤ購入履歴データに基づいて、検索を行う。即ち、売れ筋のＣＤのうち、ユーザが購入していないＣＤがあれば、検索モジュール６はこのＣＤを選択する。更に、他のユーザのＣＤ購入履歴と本人のＣＤ購入履歴とを比較し、嗜好が似たユーザに対して選択して配信した楽曲をお薦めの曲として同じように提供する方法も考えられる。
【００４５】
なお、検索モジュール６は販売店側の検索条件及びユーザ側の検索条件の適用方法を適宜設定可能である。例えば、検索モジュール６は、発売日の情報に基づいて、発売初日のＣＤを優先的に選択してもよい。また、ユーザの履歴データによって、各ジャンル棚のうちユーザが過去の来店時に長い時間立ち止まったジャンル棚を検索し、このジャンルのＣＤを優先的に選択してもよい。更に、ＣＤの在庫数の情報を用いて、在庫の多いＣＤを優先したり、在庫が少ないＣＤを優先することもできる。
【００４６】
一方、ユーザは情報配信端末１１を所持した状態で販売店内を移動している。ユーザが所持している情報配信端末１１は、位置検知モジュール１４によって、販売店内の自機、即ち、ユーザの位置を検知して、その位置情報を出力する。この位置情報は、通信モジュール１３からネットワークに送出され、情報配信サーバ１の通信モジュール３によって受信される。通信モジュール３は受信した位置情報を位置情報モジュール５に出力する。位置情報モジュール５は、入力された位置情報に基づいて、位置情報を送信した情報配信端末１１の位置、即ち、この情報配信端末１１を所持しているユーザの位置を求める（ステップＳ7 ）。
【００４７】
位置情報モジュール５は求めた各ユーザの位置の情報を保持すると共に（ステップＳ８）、検索モジュール６に与える。検索モジュール６は、ステップＳ９において、既に選択されている配信情報又は検索結果の複数の配信情報に対して絞り込みを行う（ステップＳ９）。
【００４８】
例えば、ロックの音楽ＣＤが選択されている状態において、ユーザがハード系ロックの音楽ＣＤを陳列している棚の側にいることが位置情報によって示された場合には、ハード系のロック音楽のＣＤに絞り込む。更に、ユーザが移動して、ハード系ロックの音楽ＣＤを陳列している棚からソフト系ロックの音楽ＣＤを陳列している棚に移動したことが位置情報によって示された場合には、選択するＣＤをソフト系ロックに切換える。
【００４９】
検索モジュール６は、選択したＣＤに含まれる楽曲の音楽データをデータベース部２から読出して、通信モジュール３を介して対象のユーザが保持する情報配信端末１１に出力させる（図５の丸数字５）（ステップＳ１０）。なお、この場合には、選曲された楽曲に、曲名及び歌手等の楽曲情報を付加してユーザに配信してもよい。
【００５０】
ユーザの所持している情報配信端末１１の通信モジュール１３は、情報配信サーバ１から送信された音楽データを受信して再生モジュール１６に出力する（ステップＳ１１）。再生モジュール１６は入力された音楽データに基づく音響信号を生成して、表示・再生部１７に出力する（ステップＳ１２）。なお、再生モジュール１６は図示しないメモリに再生した得たデータを保存してもよい（ステップＳ１３）。
【００５１】
ユーザは、情報配信端末１１にヘッドホン１２を接続しており、表示・再生部１７の音響出力は、ヘッドホン１２から音響出力される。こうして、ユーザは情報配信サーバ１が選択した音楽を聴くことができる。
【００５２】
ところで、検索モジュール６は、ステップＳ９の選曲絞り込みによって１つの配信情報に絞り込んでもよく、優先順位を付けた複数の配信情報に絞り込んでもよい。複数の配信情報に絞り込んだ場合には、検索モジュール６の切換によって、或いはユーザの選択によって配信情報の切換が可能である。図６のステップＳ１４はユーザの選択によって配信情報（楽曲）の切換を行うために、停止操作が行われた例を示している。ユーザは情報配信端末１１に設けられた図示しない停止ボタンを用いることで、配信された楽曲の再生を停止させることができる。更に、ユーザは、ステップＳ１５において、情報配信端末１１に設けられた図示しない次データ選択ボタンを用いることで、次に選択された曲を再生させることができる。これにより、検索モジュール６から送信された次の楽曲のデータが、情報配信端末１１において受信され（ステップＳ１６）、ユーザはこの曲を視聴することができる。
【００５３】
ここで、ユーザがジャンル棚から別のジャンク棚に移動すると（ステップＳ１７）、ステップＳ７においてユーザの位置が再確認される。こうして、ユーザの現在位置に応じた配信情報が検索モジュール６によって選択されて、ユーザに配信される。
【００５４】
このように本実施の形態においては、販売店検索条件及びユーザ検索条件に従って、例えばユーザの好みの音楽ジャンルに応じた情報を配信すると共に、情報配信端末（ユーザ）の位置情報によって、配信する情報を絞り込むことができる。これにより、例えば、ユーザの好みの音楽ジャンルに類似した楽曲、或いは販売店が販売を希望する曲を試聴曲としてユーザに提供することができる。
【００５５】
しかも、携帯電話等を情報配信端末として利用する場合には、ユーザは何らの入力操作を行うことなく、携帯電話機に保持されている情報を利用して、ユーザの好みに応じた楽曲を試聴することができる。更に、ユーザが販売店内のいずれの位置に移動したかによって、ユーザの好み、或いはユーザの興味の対象等を判断することで、ユーザの希望に応じた情報を更に絞り込むことができる。この場合においても、ユーザは何らの入力作業も必要ではなく、利便性に極めて優れている。また、ユーザが移動するだけで、種々の情報、例えば種々のジャンルの音楽を試聴することも可能であり、好みの音楽のジャンル幅を広げることができると共に、ユーザの購買意欲を向上させることができる。
【００５６】
また、販売店側では、検索条件の適用方法を適宜設定することができ、販売店の特色を強調することも可能である。また、配信楽曲にタイトルやアーティスト名等の情報を付加することができ、ユーザのＣＤの購買意欲を高めることもできる。また、試聴コーナーを設ける必要がなく、試聴可能な人数に制限がないことから、多数の客に同時に試聴させることができ、販売効率を向上させることができる。
【００５７】
なお、図６の動作フローでは、販売店側の検索条件及びユーザ側検索条件を用いて配信情報の選択を行った後、情報配信端末１１（ユーザ）の位置情報を用いて選択の絞り込みを行う例について説明したが、ユーザの位置情報のみによって配信情報の選択を行ってもよく、また、ユーザの位置情報によって配信情報の選択を行った後、販売店側の検索条件又はユーザ側検索条件を用いて選択の絞り込みを行うようにしてもよい。
【００５８】
また、上記実施の形態においては、主にＣＤショップの例について説明したが、ＤＶＤや書籍等の他のコンテンツの情報配信にも同様に適用可能である。
【図面の簡単な説明】
【００５９】
【図１】本発明の一実施の形態に係る情報配信サーバを示すブロック図。
【図２】本発明の一実施の形態に係る情報配信端末を示すブロック図。
【図３】図１中のデータベース部２に記憶されている楽曲毎の管理情報の一例を示す説明図。
【図４】図１中の検索モジュール６が採用する販売店側の検索条件の一例を示す説明図。
【図５】情報配信サーバ及び情報配信端末を用いた販売店における情報配信システムの概要を示す説明図。
【図６】情報配信の動作フローを示すフローチャート。
【符号の説明】
【００６０】
１…情報配信サーバ、２…データベース部、３…通信モジュール、４…ユーザ情報モジュール、５…位置情報モジュール、６…検索モジュール。  
代理人      弁理士      伊  藤    進
【図１】
2006189938.tif 000003
【図２】
2006189938.tif 000004
【図３】
2006189938.tif 000005
【図４】
2006189938.tif 000006
【図５】
2006189938.tif 000007
【図６】
2006189938.tif 000008